(57)【要約】【課題】他の社員の状況を容易に把握可能にする技術を提供することが望ましい。【解決手段】会議の指定を受け付ける指定受付部と、会議の参加者として登録されている人物を特定する人物特定部と、人物特定部によって特定された人物の携帯端末が接続されたアクセスポイントの情報に基づいて導出された携帯端末の位置を示す位置情報を取得する位置情報取得部と、位置情報取得部が取得した位置情報を含む人物に関する人物関連情報を出力する人物情報出力部とを備える情報処理装置を提供する。【選択図】図１
2020135466.tif 000002
【特許請求の範囲】
【請求項１】
会議の指定を受け付ける指定受付部と、
前記会議の参加者として登録されている人物を特定する人物特定部と、
前記人物特定部によって特定された人物の携帯端末が接続されたアクセスポイントの情報に基づいて導出された前記携帯端末の位置を示す位置情報を取得する位置情報取得部と、
前記位置情報取得部が取得した位置情報を含む前記人物に関する人物関連情報を出力する人物情報出力部と
を備える情報処理装置。
【請求項２】
前記携帯端末が接続されたアクセスポイントの情報に基づいて、前記携帯端末の位置を示す位置情報を導出する位置情報導出部
を備え、
前記位置情報取得部は、位置情報導出部によって導出された前記位置情報を取得する、請求項１に記載の情報処理装置。
【請求項３】
前記位置情報取得部は、前記携帯端末の位置情報の履歴を取得し、
前記人物情報出力部は、前記位置情報取得部が取得した位置情報及び位置情報の履歴を含む前記人物関連情報を出力する、請求項１又は２に記載の情報処理装置。
【請求項４】
前記人物は、会社に所属する社員であり、
前記位置情報は、前記会社内における前記携帯端末の位置を示す、請求項１から３のいずれか一項に記載の情報処理装置。
【請求項５】
前記会社の社員の勤怠情報を管理する勤怠情報管理システムから、前記人物特定部によって特定された人物の勤怠情報を取得する勤怠情報取得部
を備え、
前記人物情報出力部は、前記人物の前記勤怠情報を含む前記人物関連情報を出力する、請求項４に記載の情報処理装置。
【請求項６】
前記勤怠情報取得部は、前記位置情報取得部が前記人物の前記携帯端末の位置を示す位置情報を取得できなかった場合に、前記人物の勤怠情報を取得する、請求項５に記載の情報処理装置。
【請求項７】
前記勤怠情報は、前記人物が在宅勤務をしているか否かを含む、請求項５又は６に記載の情報処理装置。
【請求項８】
前記人物によって登録された前記人物の状況を示すプレゼンス情報を管理するプレゼンス管理システムから、前記人物特定部によって特定された人物のプレゼンス情報を取得するプレゼンス情報取得部
を備え、
前記人物情報出力部は、前記人物の前記プレゼンス情報を含む前記人物関連情報を出力する、請求項１から７のいずれか一項に記載の情報処理装置。
【請求項９】
前記人物のスケジュール情報を管理するスケジュール管理システムから、前記人物特定部によって特定された人物のスケジュール情報を取得するスケジュール情報取得部
を備え、
前記人物情報出力部は、前記人物のスケジュール情報を含む前記人物関連情報を出力する、請求項１から８のいずれか一項に記載の情報処理装置。
【請求項１０】
前記位置情報取得部が前記人物の前記携帯端末の位置を示す位置情報を取得できなかった場合に、前記人物のスケジュール情報を管理するスケジュール管理システムから、前記人物のスケジュール情報を取得するスケジュール情報取得部
を備え、
前記人物情報出力部は、前記人物のスケジュール情報を含む前記人物関連情報を出力する、請求項１から８のいずれか一項に記載の情報処理装置。
【請求項１１】
前記位置情報取得部は、前記人物の前記携帯端末の位置を示す位置情報を取得できなかった場合に、前記人物のスケジュール情報を管理するスケジュール管理システムから、前記人物のスケジュール情報を取得して、前記人物のスケジュール情報に基づいて前記人物の位置情報を導出し、
前記人物情報出力部は、前記位置情報取得部が前記人物のスケジュール情報に基づいて導出した前記人物の位置情報を含む前記人物関連情報を出力する、請求項１から８のいずれか一項に記載の情報処理装置。
【請求項１２】
コンピュータを、請求項１から１１のいずれか一項に記載の情報処理装置として機能させるためのプログラム。
【請求項１３】
コンピュータにより実行される、
会議の指定を受け付ける指定受付段階と、
前記会議の参加者として登録されている人物を特定する人物特定段階と、
前記人物特定段階において特定された人物の携帯端末が接続されたアクセスポイントの情報に基づいて導出された前記携帯端末の位置を示す位置情報を取得する位置情報取得段階と
前記位置情報取得段階において取得された位置情報を含む前記人物に関する人物関連情報を出力する人物情報出力段階と
を備える情報処理方法。
【発明の詳細な説明】
【技術分野】
【０００１】
本発明は、情報処理装置、情報処理方法、及びプログラムに関する。
【背景技術】
【０００２】
社員の情報を管理するシステムが知られていた（例えば、特許文献１参照）。
［先行技術文献］
［特許文献］
［特許文献１］特開２００９−２７１６０１号公報
【発明の概要】
【発明が解決しようとする課題】
【０００３】
他の社員の状況を容易に把握可能にする技術を提供することが望ましい。
【課題を解決するための手段】
【０００４】
本発明の第１の態様によれば、情報処理装置が提供される。情報処理装置は、会議の指定を受け付ける指定受付部を備えてよい。情報処理装置は、会議の参加者として登録されている人物を特定する人物特定部を備えてよい。情報処理装置は、人物特定部によって特定された人物の携帯端末が接続されたアクセスポイントの情報に基づいて導出された携帯端末の位置を示す位置情報を取得する位置情報取得部を備えてよい。情報処理装置は、位置情報取得部が取得した位置情報を含む人物に関する人物関連情報を出力する人物情報出力部を備えてよい。
【０００５】
上記携帯端末が接続されたアクセスポイントの情報に基づいて、上記携帯端末の位置を示す位置情報を導出する位置情報導出部を備えてよく、上記位置情報取得部は、位置情報導出部によって導出された上記位置情報を取得してよい。上記位置情報取得部は、上記携帯端末の位置情報の履歴を取得してよく、上記人物情報出力部は、上記位置情報取得部が取得した位置情報及び位置情報の履歴を含む上記人物関連情報を出力してよい。
【０００６】
上記人物は、会社に所属する社員であってよく、上記位置情報は、上記会社内における上記携帯端末の位置を示してよい。上記情報処理装置は、上記会社の社員の勤怠情報を管理する勤怠情報管理システムから、上記人物特定部によって特定された人物の勤怠情報を取得する勤怠情報取得部を備えてよく、上記人物情報出力部は、上記人物の上記勤怠情報を含む上記人物関連情報を出力してよい。上記勤怠情報取得部は、上記位置情報取得部が上記人物の上記携帯端末の位置を示す位置情報を取得できなかった場合に、上記人物の勤怠情報を取得してよい。上記勤怠情報は、上記人物が在宅勤務をしているか否かを含んでよい。上記情報処理装置は、上記人物によって登録された上記人物の状況を示すプレゼンス情報を管理するプレゼンス管理システムから、上記人物特定部によって特定された人物のプレゼンス情報を取得するプレゼンス情報取得部を備えてよく、上記人物情報出力部は、上記人物の上記プレゼンス情報を含む上記人物関連情報を出力してよい。
【０００７】
上記情報処理装置は、上記人物のスケジュール情報を管理するスケジュール管理システムから、上記人物特定部によって特定された人物のスケジュール情報を取得するスケジュール情報取得部を備えてよく、上記人物情報出力部は、上記人物のスケジュール情報を含む上記人物関連情報を出力してよい。上記情報処理装置は、上記位置情報取得部が上記人物の上記携帯端末の位置を示す位置情報を取得できなかった場合に、上記人物のスケジュール情報を管理するスケジュール管理システムから、上記人物のスケジュール情報を取得するスケジュール情報取得部を備えてよく、上記人物情報出力部は、上記人物のスケジュール情報を含む上記人物関連情報を出力してよい。上記位置情報取得部は、上記人物の上記携帯端末の位置を示す位置情報を取得できなかった場合に、上記人物のスケジュール情報を管理するスケジュール管理システムから、上記人物のスケジュール情報を取得して、上記人物のスケジュール情報に基づいて上記人物の位置情報を導出してよく、上記人物情報出力部は、上記位置情報取得部が上記人物のスケジュール情報に基づいて導出した上記人物の位置情報を含む上記人物関連情報を出力してよい。
【０００８】
本発明の第２の態様によれば、コンピュータを、上記情報処理装置として機能させるためのプログラムが提供される。
【０００９】
本発明の第３の態様によれば、コンピュータにより実行される情報処理方法が提供される。情報処理方法は、会議の指定を受け付ける指定受付段階を備えてよい。情報処理方法は、会議の参加者として登録されている人物を特定する人物特定段階を備えてよい。情報処理方法は、人物特定段階において特定された人物の携帯端末が接続されたアクセスポイントの情報に基づいて導出された携帯端末の位置を示す位置情報を取得する位置情報取得段階を備えてよい。情報処理方法は、位置情報取得段階において取得された位置情報を含む人物に関する人物関連情報を出力する人物情報出力段階を備えてよい。
【００１０】
なお、上記の発明の概要は、本発明の必要な特徴の全てを列挙したものではない。また、これらの特徴群のサブコンビネーションもまた、発明となりうる。
【図面の簡単な説明】
【００１１】
【図１】管理システム１０の一例を概略的に示す。
【図２】人物情報管理装置１００の機能構成の一例を概略的に示す。
【図３】携帯通信端末４００によって表示された人物関連情報４１０の一例を概略的に示す。
【図４】携帯通信端末４００によって表示された詳細位置情報４２０の一例を概略的に示す。
【図５】携帯通信端末４００によって表示されたプレゼンス情報の登録画面４３０の一例を概略的に示す。
【図６】人物情報管理装置１００として機能するコンピュータ１２００のハードウェア構成の一例を概略的に示す。
【発明を実施するための形態】
【００１２】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１３】
図１は、管理システム１０の一例を概略的に示す。管理システム１０は、組織に所属する人物を管理するシステムである。本実施形態では、管理システム１０が、会社に所属する社員４０を管理する場合を主に例に挙げて説明する。
【００１４】
近年、サテライトオフィスが採用されたり、在宅勤務が認められたりすることによって社員４０の働き方は多様化しており、社員４０の所在地を特定しにくくなっている。また、社員４０が個々に机を持たないオフィススタイルであるフリーアドレスや、グループのメンバーが指定された範囲の席に座るオフィススタイルであるグループアドレス等が採用されることによって、社員４０が社内にいる場合であっても、社員４０の居場所や、社員４０の状態を把握しにくくなっている。
【００１５】
例えば、社内で会議を行う場合に、開始時刻になっても参加者が集まらないときに、まだ集まっていない参加者が、会議室に向かっているのかいないのか、会議に参加するのかしないのか等を把握することが難しい状況にある。
【００１６】
本実施形態に係る管理システム１０は、会議の指定を受け付けた場合に、当該会議の参加者として登録されている社員４０を特定し、特定した社員４０の位置情報を取得して、位置情報を含む、当該社員４０に関連する人物関連情報を出力する。管理システム１０は、例えば、社員４０による携帯通信端末４００を用いた会議の指定を受け付けて、会議の参加者として登録されている社員４０を特定し、特定した社員４０の位置情報を含む人物関連情報を携帯通信端末４００に送信する。
【００１７】
これにより、例えば、社員４０が会議に参加するために会議室に到着したが、参加者が全員そろっていない場合等において、携帯通信端末４００を用いてその会議を指定するだけで、参加者の居場所を特定可能にでき、社員４０の利便性を向上させることができる。
【００１８】
管理システム１０は、人物情報管理装置１００を含む。人物情報管理装置１００は、情報処理装置の一例であってよい。また、管理システム１０は、位置情報管理装置２００を含んでよい。また、管理システム１０は、勤怠管理システム３１０を含んでよい。また、管理システム１０は、プレゼンス管理システム３２０を含んでよい。また、管理システム１０は、スケジュール管理システム３３０を含んでよい。
【００１９】
人物情報管理装置１００、位置情報管理装置２００、勤怠管理システム３１０、プレゼンス管理システム３２０、及びスケジュール管理システム３３０は、ネットワーク２０を介して通信してよい。ネットワーク２０は、例えば、社内ネットワークである。
【００２０】
携帯通信端末４００は、無線アクセスポイント（ＡＰと記載する場合がある。）３０を介して、ネットワーク２０に接続されてよい。携帯通信端末４００は、スマートフォン等の携帯電話及びタブレット端末等であってよい。
【００２１】
人物情報管理装置１００は、組織に所属する人物に関連する情報である人物情報を管理する。本例において、人物情報管理装置１００は、社員４０の人物情報を管理する。人物情報は、人物の名前及び所属等の属性情報を含んでよい。人物情報は、人物のスケジュール情報を含んでよい。人物のスケジュール情報は、人物が参加する予定の会議の情報を含む。会議の情報は、会議の参加者として登録されている人物の情報を含む。
【００２２】
人物情報管理装置１００は、携帯通信端末４００を用いて社員４０によって登録されたスケジュール情報を管理してよい。また、人物情報管理装置１００は、社員４０のスケジュールを管理するスケジュール管理システム３３０から、社員４０のスケジュール情報を受信して管理してもよい。スケジュール管理システム３３０は、例えば、複数の社員４０のそれぞれの携帯通信端末４００からの入力を受け付けることによって、複数の社員４０のスケジュール情報を取得して管理する。なお、人物情報管理装置１００は、スケジュール管理システム３３０として機能してもよい。すなわち、人物情報管理装置１００とスケジュール管理システム３３０とは一体であってもよい。
【００２３】
人物情報は、社員４０の位置情報を含んでよい。人物情報管理装置１００は、社員４０の位置情報を管理する位置情報管理装置２００から、位置情報を受信してよい。位置情報管理装置２００は、社員４０の携帯通信端末４００の位置情報を当該社員４０の位置情報として管理する。位置情報管理装置２００は、携帯通信端末４００が接続されたＡＰ３０の情報に基づいて、携帯通信端末４００の位置を特定する。
【００２４】
携帯通信端末４００が接続されたＡＰ３０の情報に基づいて携帯通信端末４００の位置を特定する手法としては、任意の手法を採用してよい。例えば、位置情報管理装置２００は、会社内に設置された複数のＡＰ３０のそれぞれの設置位置を予め格納する。ＡＰ３０の設置位置は、例えば、建物を識別する識別情報と、階数を識別する識別情報と、フロアの平面座標系における座標情報とを含む。位置情報管理装置２００は、複数のＡＰ３０のそれぞれから、ＡＰ３０に接続された携帯通信端末４００の識別情報と、電波強度の情報とを定期的に取得する。そして、位置情報管理装置２００は、複数のＡＰ３０によって検出された一の携帯通信端末４００の電波強度を用いて、当該複数のＡＰ３０のそれぞれと当該一の携帯通信端末４００との距離を導出し、当該複数のＡＰ３０からの距離を用いて三点測量によって、携帯通信端末４００の位置を特定する。
【００２５】
人物情報は、社員４０の勤怠情報を含んでよい。人物情報管理装置１００は、社員４０の勤怠情報を管理する勤怠管理システム３１０から、勤怠情報を受信してよい。勤怠管理システム３１０は、例えば、複数の社員４０のそれぞれの携帯通信端末４００から、社員４０の勤怠情報を受信して管理する。なお、人物情報管理装置１００は、勤怠管理システム３１０として機能してもよい。すなわち、人物情報管理装置１００と勤怠管理システム３１０とは一体であってもよい。
【００２６】
人物情報は、社員４０の状況を示すプレゼンス情報を含んでよい。人物情報管理装置１００は、社員４０によって登録された社員４０の状況を示すプレゼンス情報を管理するプレゼンス管理システム３２０から、プレゼンス情報を受信してよい。プレゼンス管理システム３２０は、例えば、複数の社員４０のそれぞれが携帯通信端末４００に対して入力したプレゼンス情報を、携帯通信端末４００から受信して管理する。なお、人物情報管理装置１００は、プレゼンス管理システム３２０として機能してもよい。すなわち、人物情報管理装置１００とプレゼンス管理システム３２０とは一体であってもよい。
【００２７】
図２は、人物情報管理装置１００の機能構成の一例を概略的に示す。人物情報管理装置１００は、指定受付部１０２、人物特定部１０４、位置情報導出部１０６、情報取得部１１０、及び人物情報出力部１２０を備える。なお、人物情報管理装置１００がこれらのすべての構成を備えることは必須とは限らない。
【００２８】
指定受付部１０２は、会議の指定を受け付ける。指定受付部１０２は、例えば、携帯通信端末４００を用いた社員４０による会議の指定を受け付ける。指定受付部１０２は、例えば、会議の一覧情報を携帯通信端末４００に表示させ、一覧情報に対する会議の選択を受け付ける。また、指定受付部１０２は、例えば、社員４０によって携帯通信端末４００に入力された会議の識別情報を、携帯通信端末４００から受信する。会議の識別情報は、会議室の識別情報及び会議の時間、及び会議の名称等、会議の識別可能であればどのような情報であってもよい。
【００２９】
人物特定部１０４は、指定受付部１０２が会議の指定を受け付けた場合に、指定された会議の参加者として登録されている社員４０を特定する。人物特定部１０４は、例えば、人物情報管理装置１００が管理しているスケジュール情報を参照して、指定された会議の参加者として登録されている社員４０を特定する。人物特定部１０４は、スケジュール管理システム３３０が管理しているスケジュール情報を参照して、指定された会議の参加者として登録されている社員４０を特定してもよい。
【００３０】
位置情報導出部１０６は、人物特定部１０４によって社員４０が特定された場合に、社員４０の位置情報を導出する。位置情報導出部１０６は、社員４０の携帯通信端末４００が接続されたアクセスポイントの情報に基づいて、携帯通信端末４００の位置を示す位置情報を導出する。位置情報導出部１０６による位置の特定手法は、位置情報管理装置２００による位置の特定方法と同一であってよい。
【００３１】
情報取得部１１０は、各種情報を取得する。情報取得部１１０は、位置情報取得部１１２、勤怠情報取得部１１４、プレゼンス情報取得部１１６、及びスケジュール情報取得部１１８を有する。なお、情報取得部１１０がこれらのすべての構成を有することは必須とは限らない。
【００３２】
位置情報取得部１１２は、人物特定部１０４によって社員４０が特定された場合に、当該社員４０の位置情報を取得する。位置情報取得部１１２は、例えば、位置情報管理装置２００から、当該社員４０の位置情報を取得する。位置情報取得部１１２は、当該社員４０の識別情報又は当該社員４０の携帯通信端末４００の識別情報を位置情報管理装置２００に送信して、位置情報管理装置２００から、当該社員４０の位置情報を受信してよい。位置情報取得部１１２は、位置情報導出部１０６によって導出された、当該社員４０の位置情報を取得してもよい。
【００３３】
位置情報取得部１１２は、社員４０の位置情報の履歴を取得してもよい。位置情報の履歴は、最新の位置情報から予め定められた時間遡った時間範囲内における複数の位置を示す。
【００３４】
勤怠情報取得部１１４は、人物特定部１０４によって特定された社員４０の勤怠情報を取得する。勤怠情報取得部１１４は、例えば、人物特定部１０４によって特定された社員４０の勤怠情報を、勤怠管理システム３１０から受信する。勤怠情報取得部１１４は、人物特定部１０４によって特定された社員４０を識別する識別情報を勤怠管理システム３１０に送信して、勤怠管理システム３１０から、当該社員４０の勤怠情報を受信してよい。勤怠情報は、社員４０が在宅勤務をしているか否かを含んでよい。
【００３５】
プレゼンス情報取得部１１６は、人物特定部１０４によって特定された社員４０のプレゼンス情報を取得する。プレゼンス情報取得部１１６は、例えば、人物特定部１０４によって特定された社員４０のプレゼンス情報を、プレゼンス管理システム３２０から受信する。プレゼンス情報取得部１１６は、人物特定部１０４によって特定された社員４０を識別する識別情報をプレゼンス管理システム３２０に送信して、プレゼンス管理システム３２０から、当該社員４０のプレゼンス情報を受信してよい。プレゼンス情報は、例えば、社員４０が在宅勤務をしていること、社員４０が会議室に向けて移動中であること、社員４０が休暇を取得していること、社員４０が障害対応等で手が離せない状況にあること、等を示してよい。
【００３６】
スケジュール情報取得部１１８は、人物特定部１０４によって特定された社員４０のスケジュール情報を取得する。スケジュール情報取得部１１８は、例えば、人物特定部１０４によって特定された社員４０のスケジュール情報を、スケジュール管理システム３３０から受信する。スケジュール情報取得部１１８は、人物特定部１０４によって特定された社員４０を識別する識別情報をスケジュール管理システム３３０に送信して、スケジュール管理システム３３０から、当該社員４０のスケジュール情報を受信してよい。スケジュール情報取得部１１８は、人物特定部１０４によって特定された社員４０の、指定受付部１０２が指定を受け付けた会議の時間帯の予定を示すスケジュール情報を取得してよい。
【００３７】
人物情報出力部１２０は、位置情報取得部１１２が取得した位置情報を含む、人物特定部１０４によって特定された社員４０に関連する人物関連情報を出力する。人物情報出力部１２０は、例えば、指定受付部１０２が会議の指定を受け付けた携帯通信端末４００に対して、人物関連情報を送信する。また、人物情報出力部１２０は、人物関連情報を、人物情報管理装置１００が有するディスプレイに表示出力してもよい。
【００３８】
人物情報出力部１２０は、位置情報取得部１１２が取得した位置情報及び位置情報の履歴を含む人物関連情報を出力してもよい。これにより、例えば、人物特定部１０４によって特定された社員４０が、会議室の場所がわからずに会議室を探しながら移動している場合に、その様子を知得可能にできる。その様子を知得した他の会議参加者は、例えば、当該社員４０に連絡をして、場所を知らせる等の対策をとることができる。
【００３９】
人物情報出力部１２０は、位置情報取得部１１２が取得した位置情報と、勤怠情報取得部１１４が取得した勤怠情報とを含む人物関連情報を出力してもよい。勤怠情報取得部１１４は、位置情報取得部１１２が、人物特定部１０４によって特定された社員４０の位置情報を取得できなかった場合に、当該社員４０の勤怠情報を取得してもよい。この場合、人物情報出力部１２０は、社員４０の位置情報を含まず、社員４０の勤怠情報を含む人物関連情報を出力してよい。これにより、例えば、当該社員４０が在宅勤務をしていて、会社内にいない場合に、当該社員４０が在宅勤務中であることを知得可能にできる。
【００４０】
人物情報出力部１２０は、位置情報取得部１１２が取得した位置情報と、プレゼンス情報取得部１１６が取得したプレゼンス情報とを含む人物関連情報を出力してもよい。これにより、例えば、人物特定部１０４によって特定された社員４０が、急に発生した障害対応等で手を離せない状況のため会議に参加できなくなったこと等を、知得可能にできる。
【００４１】
人物情報出力部１２０は、位置情報取得部１１２が取得した位置情報と、スケジュール情報取得部１１８が取得したスケジュール情報とを含む人物関連情報を出力してもよい。例えば、位置情報によって示される位置が、会議の場所とは異なる場所である場合に、位置情報のみでは、会議を忘れているのか、会議とは別の優先度の高い予定が入ってしまったのかの判断がつかない。それに対して、スケジュール情報において会議の時間帯に別の予定が入っている場合、スケジュール情報を位置情報に合わせて出力することにより、位置情報が示す位置において、その別の予定に参加していることを知得可能にできる。
【００４２】
スケジュール情報取得部１１８は、位置情報取得部１１２が人物特定部１０４によって特定された社員４０の位置情報を取得できなかった場合に、当該社員４０のスケジュール情報を取得してもよい。この場合、人物情報出力部１２０は、社員４０の位置情報を含まず、社員４０のスケジュール情報を含む人物関連情報を出力してよい。これにより、例えば、当該社員４０が会議とは別の予定に従事している場合に、その旨を知得可能にできる。
【００４３】
位置情報取得部１１２は、人物特定部１０４によって特定された社員４０の携帯通信端末４００の位置を示す位置情報を取得できなかった場合に、スケジュール管理システム３３０から、当該社員４０のスケジュール情報を取得して、当該社員４０のスケジュール情報に基づいて当該社員４０の位置情報を導出してもよい。位置情報取得部１１２は、スケジュール情報における、指定受付部１０２が指定を受け付けた会議の時間帯に、会議とは別の予定が入っている場合であって、その予定に場所の情報が含まれていたり、例えば、参加予定の催し物の名称が含まれており、その名称から場所を特定可能であったりする等、その予定の内容から場所を特定できる場合に、特定した場所を示す位置情報を導出する。人物情報出力部１２０は、位置情報取得部１１２が社員４０のスケジュール情報に基づいて導出した社員４０の位置情報を含む人物関連情報を出力してよい。
【００４４】
図３は、携帯通信端末４００によって表示された人物関連情報４１０の一例を概略的に示す。人物関連情報４１０は、社員４０の位置を示す位置情報４１２と、社員４０の属性情報４１４とを含む。人物関連情報４１０は、図３に例示するように、操作メニュー４１６を含んでもよい。
【００４５】
人物関連情報４１０は、社員４０の位置情報が取得できていない場合、位置情報４１２に代えて、社員４０の勤怠情報を含んでよい。人物関連情報４１０は、社員４０の位置情報が取得できていない場合、位置情報４１２に代えて、社員４０のスケジュール情報を含んでもよい。人物関連情報４１０は、位置情報４１２に加えて、社員４０の勤怠情報を含んでもよい。人物関連情報４１０は、位置情報４１２に加えて、社員４０のプレゼンス情報を含んでもよい。人物関連情報４１０は、位置情報４１２に加えて、社員４０のスケジュール情報を含んでもよい。
【００４６】
位置情報４１２が選択されたり、操作メニュー４１６によって詳細の位置情報の表示が指示されたりした場合、携帯通信端末４００は、社内のマップ上に社員４０の位置を示すオブジェクトを配置した詳細位置情報を表示してよい。
【００４７】
図４は、携帯通信端末４００によって表示された詳細位置情報４２０の一例を概略的に示す。詳細位置情報４２０は、社内のマップ画像４２２と、マップ画像４２２上に配置された、社員４０の位置を示すオブジェクト４２４とを含む。オブジェクト４２４によって、社員４０の位置を容易に把握可能にできる。
【００４８】
詳細位置情報４２０は、位置情報の履歴を含んでもよい。例えば、詳細位置情報４２０は、社員４０がオブジェクト４２４に位置するまでの軌道を示すオブジェクトを含む。また、例えば、詳細位置情報４２０は、社員４０がオブジェクト４２４に位置するまでに位置した複数の位置に配置されたオブジェクトを含む。
【００４９】
図５は、携帯通信端末４００によって表示されたプレゼンス情報の登録画面４３０の一例を概略的に示す。携帯通信端末４００の所有者の社員４０は、登録画面４３０に対して自らのプレゼンス情報を登録してよい。
【００５０】
登録画面４３０は、状態入力欄４３２を含む。状態入力欄４３２には、フリーテキストで社員４０の状態を入力可能であってよい。状態入力欄４３２に入力されたテキストは、プレゼンス管理システム３２０に登録される。
【００５１】
登録画面４３０は、状態選択ボタン４３４を含む。図５では、状態選択ボタン４３４として、会議中ボタン、移動中ボタン、有給休暇ボタン、在宅勤務ボタンが例示されている。会議中ボタンの選択によって、プレゼンス管理システム３２０が管理するプレゼンス情報に会議中が登録される。移動中ボタンの選択によって、プレゼンス管理システム３２０が管理するプレゼンス情報に移動中が登録される。有給休暇ボタンの選択によって、プレゼンス管理システム３２０が管理するプレゼンス情報に有休休暇が登録される。在宅勤務ボタンの選択によって、プレゼンス管理システム３２０が管理するプレゼンス情報に在宅勤務が登録される。
【００５２】
登録画面４３０は、電話対応状態欄４３６を含む。電話対応状態欄４３６は、電話に出られる状態であるか、出られない状態であるかを登録するためのスイッチを含む。スイッチがＯＮにされた場合、プレゼンス管理システム３２０が管理するプレゼンス情報に、電話に出られない状態であることが登録される。
【００５３】
図６は、人物情報管理装置１００として機能するコンピュータ１２００のハードウェア構成の一例を概略的に示す。コンピュータ１２００にインストールされたプログラムは、コンピュータ１２００を、本実施形態に係る装置の１又は複数の「部」として機能させ、又はコンピュータ１２００に、本実施形態に係る装置に関連付けられるオペレーション又は当該１又は複数の「部」を実行させることができ、及び／又はコンピュータ１２００に、本発明の実施形態に係るプロセス又は当該プロセスの段階を実行させることができる。そのようなプログラムは、コンピュータ１２００に、本明細書に記載のフローチャート及びブロック図のブロックのうちのいくつか又はすべてに関連付けられた特定のオペレーションを実行させるべく、ＣＰＵ１２１２によって実行されてよい。
【００５４】
本実施形態によるコンピュータ１２００は、ＣＰＵ１２１２、ＲＡＭ１２１４、及びグラフィックコントローラ１２１６を含み、それらはホストコントローラ１２１０によって相互に接続されている。コンピュータ１２００はまた、通信インタフェース１２２２、記憶装置１２２４、ＤＶＤドライブ１２２６、及びＩＣカードドライブのような入出力ユニットを含み、それらは入出力コントローラ１２２０を介してホストコントローラ１２１０に接続されている。ＤＶＤドライブ１２２６は、ＤＶＤ−ＲＯＭドライブ及びＤＶＤ−ＲＡＭドライブ等であってよい。記憶装置１２２４は、ハードディスクドライブ及びソリッドステートドライブ等であってよい。コンピュータ１２００はまた、ＲＯＭ１２３０及びキーボードのようなレガシの入出力ユニットを含み、それらは入出力チップ１２４０を介して入出力コントローラ１２２０に接続されている。
【００５５】
ＣＰＵ１２１２は、ＲＯＭ１２３０及びＲＡＭ１２１４内に格納されたプログラムに従い動作し、それにより各ユニットを制御する。グラフィックコントローラ１２１６は、ＲＡＭ１２１４内に提供されるフレームバッファ等又はそれ自体の中に、ＣＰＵ１２１２によって生成されるイメージデータを取得し、イメージデータがディスプレイデバイス１２１８上に表示されるようにする。
【００５６】
通信インタフェース１２２２は、ネットワークを介して他の電子デバイスと通信する。記憶装置１２２４は、コンピュータ１２００内のＣＰＵ１２１２によって使用されるプログラム及びデータを格納する。ＤＶＤドライブ１２２６は、プログラム又はデータをＤＶＤ−ＲＯＭ１２２７等から読み取り、記憶装置１２２４に提供する。ＩＣカードドライブは、プログラム及びデータをＩＣカードから読み取り、及び／又はプログラム及びデータをＩＣカードに書き込む。
【００５７】
ＲＯＭ１２３０はその中に、アクティブ化時にコンピュータ１２００によって実行されるブートプログラム等、及び／又はコンピュータ１２００のハードウェアに依存するプログラムを格納する。入出力チップ１２４０はまた、様々な入出力ユニットをＵＳＢポート、パラレルポート、シリアルポート、キーボードポート、マウスポート等を介して、入出力コントローラ１２２０に接続してよい。
【００５８】
プログラムは、ＤＶＤ−ＲＯＭ１２２７又はＩＣカードのようなコンピュータ可読記憶媒体によって提供される。プログラムは、コンピュータ可読記憶媒体から読み取られ、コンピュータ可読記憶媒体の例でもある記憶装置１２２４、ＲＡＭ１２１４、又はＲＯＭ１２３０にインストールされ、ＣＰＵ１２１２によって実行される。これらのプログラム内に記述される情報処理は、コンピュータ１２００に読み取られ、プログラムと、上記様々なタイプのハードウェアリソースとの間の連携をもたらす。装置又は方法が、コンピュータ１２００の使用に従い情報のオペレーション又は処理を実現することによって構成されてよい。
【００５９】
例えば、通信がコンピュータ１２００及び外部デバイス間で実行される場合、ＣＰＵ１２１２は、ＲＡＭ１２１４にロードされた通信プログラムを実行し、通信プログラムに記述された処理に基づいて、通信インタフェース１２２２に対し、通信処理を命令してよい。通信インタフェース１２２２は、ＣＰＵ１２１２の制御の下、ＲＡＭ１２１４、記憶装置１２２４、ＤＶＤ−ＲＯＭ１２２７、又はＩＣカードのような記録媒体内に提供される送信バッファ領域に格納された送信データを読み取り、読み取られた送信データをネットワークに送信し、又はネットワークから受信した受信データを記録媒体上に提供される受信バッファ領域等に書き込む。
【００６０】
また、ＣＰＵ１２１２は、記憶装置１２２４、ＤＶＤドライブ１２２６（ＤＶＤ−ＲＯＭ１２２７）、ＩＣカード等のような外部記録媒体に格納されたファイル又はデータベースの全部又は必要な部分がＲＡＭ１２１４に読み取られるようにし、ＲＡＭ１２１４上のデータに対し様々なタイプの処理を実行してよい。ＣＰＵ１２１２は次に、処理されたデータを外部記録媒体にライトバックしてよい。
【００６１】
様々なタイプのプログラム、データ、テーブル、及びデータベースのような様々なタイプの情報が記録媒体に格納され、情報処理を受けてよい。ＣＰＵ１２１２は、ＲＡＭ１２１４から読み取られたデータに対し、本開示の随所に記載され、プログラムの命令シーケンスによって指定される様々なタイプのオペレーション、情報処理、条件判断、条件分岐、無条件分岐、情報の検索／置換等を含む、様々なタイプの処理を実行してよく、結果をＲＡＭ１２１４に対しライトバックする。また、ＣＰＵ１２１２は、記録媒体内のファイル、データベース等における情報を検索してよい。例えば、各々が第２の属性の属性値に関連付けられた第１の属性の属性値を有する複数のエントリが記録媒体内に格納される場合、ＣＰＵ１２１２は、当該複数のエントリの中から、第１の属性の属性値が指定されている条件に一致するエントリを検索し、当該エントリ内に格納された第２の属性の属性値を読み取り、それにより予め定められた条件を満たす第１の属性に関連付けられた第２の属性の属性値を取得してよい。
【００６２】
上で説明したプログラム又はソフトウエアモジュールは、コンピュータ１２００上又はコンピュータ１２００近傍のコンピュータ可読記憶媒体に格納されてよい。また、専用通信ネットワーク又はインターネットに接続されたサーバシステム内に提供されるハードディスク又はＲＡＭのような記録媒体が、コンピュータ可読記憶媒体として使用可能であり、それによりプログラムを、ネットワークを介してコンピュータ１２００に提供する。
【００６３】
本実施形態におけるフローチャート及びブロック図におけるブロックは、オペレーションが実行されるプロセスの段階又はオペレーションを実行する役割を持つ装置の「部」を表わしてよい。特定の段階及び「部」が、専用回路、コンピュータ可読記憶媒体上に格納されるコンピュータ可読命令と共に供給されるプログラマブル回路、及び／又はコンピュータ可読記憶媒体上に格納されるコンピュータ可読命令と共に供給されるプロセッサによって実装されてよい。専用回路は、デジタル及び／又はアナログハードウェア回路を含んでよく、集積回路（ＩＣ）及び／又はディスクリート回路を含んでよい。プログラマブル回路は、例えば、フィールドプログラマブルゲートアレイ（ＦＰＧＡ）、及びプログラマブルロジックアレイ（ＰＬＡ）等のような、論理積、論理和、排他的論理和、否定論理積、否定論理和、及び他の論理演算、フリップフロップ、レジスタ、並びにメモリエレメントを含む、再構成可能なハードウェア回路を含んでよい。
【００６４】
コンピュータ可読記憶媒体は、適切なデバイスによって実行される命令を格納可能な任意の有形なデバイスを含んでよく、その結果、そこに格納される命令を有するコンピュータ可読記憶媒体は、フローチャート又はブロック図で指定されたオペレーションを実行するための手段を作成すべく実行され得る命令を含む、製品を備えることになる。コンピュータ可読記憶媒体の例としては、電子記憶媒体、磁気記憶媒体、光記憶媒体、電磁記憶媒体、半導体記憶媒体等が含まれてよい。コンピュータ可読記憶媒体のより具体的な例としては、フロッピー（登録商標）ディスク、ディスケット、ハードディスク、ランダムアクセスメモリ（ＲＡＭ）、リードオンリメモリ（ＲＯＭ）、消去可能プログラマブルリードオンリメモリ（ＥＰＲＯＭ又はフラッシュメモリ）、電気的消去可能プログラマブルリードオンリメモリ（ＥＥＰＲＯＭ）、静的ランダムアクセスメモリ（ＳＲＡＭ）、コンパクトディスクリードオンリメモリ（ＣＤ−ＲＯＭ）、デジタル多用途ディスク（ＤＶＤ）、ブルーレイ（登録商標）ディスク、メモリスティック、集積回路カード等が含まれてよい。
【００６５】
コンピュータ可読命令は、アセンブラ命令、命令セットアーキテクチャ（ＩＳＡ）命令、マシン命令、マシン依存命令、マイクロコード、ファームウェア命令、状態設定データ、又はＳｍａｌｌｔａｌｋ、ＪＡＶＡ（登録商標）、Ｃ＋＋等のようなオブジェクト指向プログラミング言語、及び「Ｃ」プログラミング言語又は同様のプログラミング言語のような従来の手続型プログラミング言語を含む、１又は複数のプログラミング言語の任意の組み合わせで記述されたソースコード又はオブジェクトコードのいずれかを含んでよい。
【００６６】
コンピュータ可読命令は、汎用コンピュータ、特殊目的のコンピュータ、若しくは他のプログラム可能なデータ処理装置のプロセッサ、又はプログラマブル回路が、フローチャート又はブロック図で指定されたオペレーションを実行するための手段を生成するために当該コンピュータ可読命令を実行すべく、ローカルに又はローカルエリアネットワーク（ＬＡＮ）、インターネット等のようなワイドエリアネットワーク（ＷＡＮ）を介して、汎用コンピュータ、特殊目的のコンピュータ、若しくは他のプログラム可能なデータ処理装置のプロセッサ、又はプログラマブル回路に提供されてよい。プロセッサの例としては、コンピュータプロセッサ、処理ユニット、マイクロプロセッサ、デジタル信号プロセッサ、コントローラ、マイクロコントローラ等を含む。
【００６７】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。その様な変更又は改良を加えた形態も本発明の技術的範囲に含まれ得ることが、特許請求の範囲の記載から明らかである。
【００６８】
特許請求の範囲、明細書、及び図面中において示した装置、システム、プログラム、及び方法における動作、手順、ステップ、及び段階などの各処理の実行順序は、特段「より前に」、「先立って」などと明示しておらず、また、前の処理の出力を後の処理で用いるのでない限り、任意の順序で実現しうることに留意すべきである。特許請求の範囲、明細書、及び図面中の動作フローに関して、便宜上「まず、」、「次に、」などを用いて説明したとしても、この順で実施することが必須であることを意味するものではない。
【符号の説明】
【００６９】
１０  管理システム、２０  ネットワーク、３０  ＡＰ、４０  社員、１００  人物情報管理装置、１０２  指定受付部、１０４  人物特定部、１０６  位置情報導出部、１１０  情報取得部、１１２  位置情報取得部、１１４  勤怠情報取得部、１１６  プレゼンス情報取得部、１１８  スケジュール情報取得部、１２０  人物情報出力部、２００  位置情報管理装置、３１０  勤怠管理システム、３２０  プレゼンス管理システム、３３０  スケジュール管理システム、４００  通信端末、４１０  人物関連情報、４１２  位置情報、４１４  属性情報、４１６  操作メニュー、４２０  詳細位置情報、４２２  マップ画像、４２４  オブジェクト、４３０  登録画面、４３２  状態入力欄、４３４  状態選択ボタン、４３６  電話対応状態欄、１２００  コンピュータ、１２１０  ホストコントローラ、１２１２  ＣＰＵ、１２１４  ＲＡＭ、１２１６  グラフィックコントローラ、１２１８  ディスプレイデバイス、１２２０  入出力コントローラ、１２２２  通信インタフェース、１２２４  記憶装置、１２２６  ＤＶＤドライブ、１２２７  ＤＶＤ−ＲＯＭ、１２３０  ＲＯＭ、１２４０  入出力チップ
【図１】
2020135466.tif 000003
【図２】
2020135466.tif 000004
【図３】
2020135466.tif 000005
【図４】
2020135466.tif 000006
【図５】
2020135466.tif 000007
【図６】
2020135466.tif 000008
【手続補正書】
【提出日】令和1年10月3日(2019.10.3)
【手続補正１】
【補正対象書類名】特許請求の範囲
【補正対象項目名】全文
【補正方法】変更
【補正の内容】
【特許請求の範囲】
【請求項１】
人物による携帯端末を用いた会議の指定を受け付ける指定受付部と、
前記会議の参加者として登録されている人物を特定する人物特定部と、
前記人物特定部によって特定された人物の携帯端末が接続されたアクセスポイントの情報に基づいて導出された前記携帯端末の位置を示す位置情報を取得する位置情報取得部と、
前記位置情報取得部が取得した位置情報を含む、前記人物特定部によって特定された前記人物に関する人物関連情報を、前記会議の指定に用いられた前記携帯端末に対して出力する人物情報出力部と
を備える情報処理装置。
【請求項２】
前記携帯端末が接続されたアクセスポイントの情報に基づいて、前記携帯端末の位置を示す位置情報を導出する位置情報導出部
を備え、
前記位置情報取得部は、位置情報導出部によって導出された前記位置情報を取得する、請求項１に記載の情報処理装置。
【請求項３】
前記位置情報取得部は、前記携帯端末の位置情報の履歴を取得し、
前記人物情報出力部は、前記位置情報取得部が取得した位置情報及び位置情報の履歴を含む前記人物関連情報を出力する、請求項１又は２に記載の情報処理装置。
【請求項４】
前記人物は、会社に所属する社員であり、
前記位置情報は、前記会社内における前記携帯端末の位置を示す、請求項１から３のいずれか一項に記載の情報処理装置。
【請求項５】
前記会社の社員の勤怠情報を管理する勤怠情報管理システムから、前記人物特定部によって特定された人物の勤怠情報を取得する勤怠情報取得部
を備え、
前記人物情報出力部は、前記人物の前記勤怠情報を含む前記人物関連情報を出力する、請求項４に記載の情報処理装置。
【請求項６】
前記勤怠情報取得部は、前記位置情報取得部が前記人物の前記携帯端末の位置を示す位置情報を取得できなかった場合に、前記人物の勤怠情報を取得する、請求項５に記載の情報処理装置。
【請求項７】
前記勤怠情報は、前記人物が在宅勤務をしているか否かを含む、請求項５又は６に記載の情報処理装置。
【請求項８】
前記人物によって登録された前記人物の状況を示すプレゼンス情報を管理するプレゼンス管理システムから、前記人物特定部によって特定された人物のプレゼンス情報を取得するプレゼンス情報取得部
を備え、
前記人物情報出力部は、前記人物の前記プレゼンス情報を含む前記人物関連情報を出力する、請求項１から７のいずれか一項に記載の情報処理装置。
【請求項９】
前記人物のスケジュール情報を管理するスケジュール管理システムから、前記人物特定部によって特定された人物のスケジュール情報を取得するスケジュール情報取得部
を備え、
前記人物情報出力部は、前記人物のスケジュール情報を含む前記人物関連情報を出力する、請求項１から８のいずれか一項に記載の情報処理装置。
【請求項１０】
前記位置情報取得部が前記人物の前記携帯端末の位置を示す位置情報を取得できなかった場合に、前記人物のスケジュール情報を管理するスケジュール管理システムから、前記人物のスケジュール情報を取得するスケジュール情報取得部
を備え、
前記人物情報出力部は、前記人物のスケジュール情報を含む前記人物関連情報を出力する、請求項１から８のいずれか一項に記載の情報処理装置。
【請求項１１】
前記位置情報取得部は、前記人物の前記携帯端末の位置を示す位置情報を取得できなかった場合に、前記人物のスケジュール情報を管理するスケジュール管理システムから、前記人物のスケジュール情報を取得して、前記人物のスケジュール情報に基づいて前記人物の位置情報を導出し、
前記人物情報出力部は、前記位置情報取得部が前記人物のスケジュール情報に基づいて導出した前記人物の位置情報を含む前記人物関連情報を出力する、請求項１から８のいずれか一項に記載の情報処理装置。
【請求項１２】
コンピュータを、請求項１から１１のいずれか一項に記載の情報処理装置として機能させるためのプログラム。
【請求項１３】
コンピュータにより実行される、
人物による携帯端末を用いた会議の指定を受け付ける指定受付段階と、
前記会議の参加者として登録されている人物を特定する人物特定段階と、
前記人物特定段階において特定された人物の携帯端末が接続されたアクセスポイントの情報に基づいて導出された前記携帯端末の位置を示す位置情報を取得する位置情報取得段階と
前記位置情報取得段階において取得された位置情報を含む、前記人物特定段階において特定された前記人物に関する人物関連情報を、前記会議の指定に用いられた前記携帯端末に対して出力する人物情報出力段階と
を備える情報処理方法。
【手続補正書】
【提出日】令和2年2月3日(2020.2.3)
【手続補正１】
【補正対象書類名】特許請求の範囲
【補正対象項目名】全文
【補正方法】変更
【補正の内容】
【特許請求の範囲】
【請求項１】
人物による携帯端末を用いた会議の指定を受け付ける指定受付部と、
前記会議の参加者として登録されている人物を特定する人物特定部と、
前記人物特定部によって特定された人物の携帯端末が接続されたアクセスポイントの情報に基づいて導出された前記携帯端末の位置を示す位置情報を取得する位置情報取得部と、
前記位置情報取得部が取得した位置情報を含む、前記人物特定部によって特定された前記人物に関する人物関連情報を、前記会議の指定に用いられた前記携帯端末に対して出力する人物情報出力部と
を備え、
前記人物は会社に所属する社員であり、
前記位置情報取得部は、前記携帯端末の位置情報の履歴を取得し、
前記人物情報出力部は、前記位置情報取得部が取得した位置情報及び位置情報の履歴を含む前記人物関連情報を前記会議の指定に用いられた前記携帯端末に対して出力して、前記携帯端末に、前記会社内のマップ上に前記人物の位置を示すオブジェクトを配置した詳細位置情報を表示させ、
前記詳細位置情報は、前記人物が、前記オブジェクトが示す位置に位置するまでの軌道を示すオブジェクトを含む、
情報処理装置。
【請求項２】
人物による携帯端末を用いた会議の指定を受け付ける指定受付部と、
前記会議の参加者として登録されている人物を特定する人物特定部と、
前記人物特定部によって特定された人物の携帯端末が接続されたアクセスポイントの情報に基づいて導出された前記携帯端末の位置を示す位置情報を取得する位置情報取得部と、
前記位置情報取得部が取得した位置情報を含む、前記人物特定部によって特定された前記人物に関する人物関連情報を、前記会議の指定に用いられた前記携帯端末に対して出力する人物情報出力部と
を備え、
前記人物は会社に所属する社員であり、
前記位置情報取得部は、前記携帯端末の位置情報の履歴を取得し、
前記人物情報出力部は、前記位置情報取得部が取得した位置情報及び位置情報の履歴を含む前記人物関連情報を前記会議の指定に用いられた前記携帯端末に対して出力して、前記携帯端末に、前記会社内のマップ上に前記人物の位置を示すオブジェクトを配置した詳細位置情報を表示させ、
前記詳細位置情報は、前記人物が、前記オブジェクトが示す位置に位置するまでに位置した複数の位置に配置されたオブジェクトを含む、
情報処理装置。
【請求項３】
前記携帯端末が接続されたアクセスポイントの情報に基づいて、前記携帯端末の位置を示す位置情報を導出する位置情報導出部
を備え、
前記位置情報取得部は、位置情報導出部によって導出された前記位置情報を取得する、請求項１又は２に記載の情報処理装置。
【請求項４】
前記会社の社員の勤怠情報を管理する勤怠情報管理システムから、前記人物特定部によって特定された人物の勤怠情報を取得する勤怠情報取得部
を備え、
前記人物情報出力部は、前記人物の前記勤怠情報を含む前記人物関連情報を出力する、請求項１から３のいずれか一項に記載の情報処理装置。
【請求項５】
前記勤怠情報取得部は、前記位置情報取得部が前記人物の前記携帯端末の位置を示す位置情報を取得できなかった場合に、前記人物の勤怠情報を取得する、請求項４に記載の情報処理装置。
【請求項６】
前記勤怠情報は、前記人物が在宅勤務をしているか否かを含む、請求項４又は５に記載の情報処理装置。
【請求項７】
前記人物によって登録された前記人物の状況を示すプレゼンス情報を管理するプレゼンス管理システムから、前記人物特定部によって特定された人物のプレゼンス情報を取得するプレゼンス情報取得部
を備え、
前記人物情報出力部は、前記人物の前記プレゼンス情報を含む前記人物関連情報を出力する、請求項１から６のいずれか一項に記載の情報処理装置。
【請求項８】
前記人物のスケジュール情報を管理するスケジュール管理システムから、前記人物特定部によって特定された人物のスケジュール情報を取得するスケジュール情報取得部
を備え、
前記人物情報出力部は、前記人物のスケジュール情報を含む前記人物関連情報を出力する、請求項１から７のいずれか一項に記載の情報処理装置。
【請求項９】
前記位置情報取得部が前記人物の前記携帯端末の位置を示す位置情報を取得できなかった場合に、前記人物のスケジュール情報を管理するスケジュール管理システムから、前記人物のスケジュール情報を取得するスケジュール情報取得部
を備え、
前記人物情報出力部は、前記人物のスケジュール情報を含む前記人物関連情報を出力する、請求項１から７のいずれか一項に記載の情報処理装置。
【請求項１０】
前記位置情報取得部は、前記人物の前記携帯端末の位置を示す位置情報を取得できなかった場合に、前記人物のスケジュール情報を管理するスケジュール管理システムから、前記人物のスケジュール情報を取得して、前記人物のスケジュール情報に基づいて前記人物の位置情報を導出し、
前記人物情報出力部は、前記位置情報取得部が前記人物のスケジュール情報に基づいて導出した前記人物の位置情報を含む前記人物関連情報を出力する、請求項１から７のいずれか一項に記載の情報処理装置。
【請求項１１】
コンピュータを、請求項１から１０のいずれか一項に記載の情報処理装置として機能させるためのプログラム。
【請求項１２】
コンピュータにより実行される、
人物による携帯端末を用いた会議の指定を受け付ける指定受付段階と、
前記会議の参加者として登録されている人物を特定する人物特定段階と、
前記人物特定段階において特定された人物の携帯端末が接続されたアクセスポイントの情報に基づいて導出された前記携帯端末の位置を示す位置情報を取得する位置情報取得段階と
前記位置情報取得段階において取得された位置情報を含む、前記人物特定段階において特定された前記人物に関する人物関連情報を、前記会議の指定に用いられた前記携帯端末に対して出力する人物情報出力段階と
を備え、
前記人物は会社に所属する社員であり、
前記位置情報取得段階は、前記携帯端末の位置情報の履歴を取得し、
前記人物情報出力段階は、前記位置情報取得段階において取得された位置情報及び位置情報の履歴を含む前記人物関連情報を前記会議の指定に用いられた前記携帯端末に対して出力して、前記携帯端末に、前記会社内のマップ上に前記人物の位置を示すオブジェクトを配置した詳細位置情報を表示させ、
前記詳細位置情報は、前記人物が、前記オブジェクトが示す位置に位置するまでの軌道を示すオブジェクトを含む、
情報処理方法。
【請求項１３】
コンピュータにより実行される、
人物による携帯端末を用いた会議の指定を受け付ける指定受付段階と、
前記会議の参加者として登録されている人物を特定する人物特定段階と、
前記人物特定段階において特定された人物の携帯端末が接続されたアクセスポイントの情報に基づいて導出された前記携帯端末の位置を示す位置情報を取得する位置情報取得段階と
前記位置情報取得段階において取得された位置情報を含む、前記人物特定段階において特定された前記人物に関する人物関連情報を、前記会議の指定に用いられた前記携帯端末に対して出力する人物情報出力段階と
を備え、
前記人物は会社に所属する社員であり、
前記位置情報取得段階は、前記携帯端末の位置情報の履歴を取得し、
前記人物情報出力段階は、前記位置情報取得段階において取得された位置情報及び位置情報の履歴を含む前記人物関連情報を前記会議の指定に用いられた前記携帯端末に対して出力して、前記携帯端末に、前記会社内のマップ上に前記人物の位置を示すオブジェクトを配置した詳細位置情報を表示させ、
前記詳細位置情報は、前記人物が、前記オブジェクトが示す位置に位置するまでに位置した複数の位置に配置されたオブジェクトを含む、
情報処理方法。